(57)【要約】【課題】従来、音楽情報供給方法において、多数の楽曲に主観的データを付して、主観的データから検索された楽曲情報を提供するものは知られているが、この場合、例えば、楽しいというイメージにより、非常に多数の楽曲が選択されてしまい、実質的に検索の役に立たない場合が少なくない。【解決手段】本発明によれば、例えば、一つの同じ曲（音素材）に楽しい８０％、明るい７０％のように数値を付し客観処理したイメージを有する音素材を、楽しいというイメージで検索すると、数値の大きい順、又は、小さい順、又は、何％から何％の範囲の音素材として任意に検索することが可能になる。【選択図】            図２
2004287303.tif 000002
【特許請求の範囲】
【請求項１】
音素材を検索する音素材検索サーバシステムを有し、該音素材検索サーバシステムにコンピューターネットワークを介して接続した端末装置から前記音素材を検索する音素材検索方法であって、
前記音素材に整理データを付して音素材検索サーバシステムに格納する音素材格納手段と、
前記整理データに音素材に対応する複数の客観処理したイメージからなる客観イメージデータを付与し、前記音素材検索サーバシステムに格納する客観イメージデータ格納手段と、
任意のイメージを入力して音素材の検索を行う音素材検索手段とからなる音素材検索方法。
【請求項２】
請求項１に記載の音素材検索方法において、客観イメージデータ格納手段の客観処理したイメージがアンケート調査結果に基づいての客観処理イメージである音素材検索方法。
【請求項３】
請求項１又は２に記載の音素材検索方法において、整理データに書誌的事項を付与し音素材サーバシステムに格納する書誌的事項格納手段を付与してなる音素材検索方法。
【請求項４】
請求項１、２又は３に記載の音素材検索方法において、書誌的事項格納手段の書誌的事項がレンタル可能期間からなる音素材検索方法。
【請求項５】
請求項３又は４に記載の音素材検索方法において、書誌的事項格納手段の書誌的事項がレンタル歴からなる音素材検索方法。
【請求項６】
請求項３、４又は５に記載の音素材検索方法において、書誌的事項格納手段の書誌的事項が音素材をレンタル可能か否かを表示することからなる音素材検索方法。
【請求項７】
音素材を検索する音素材検索サーバシステムを有し、該音素材検索サーバシステムにコンピューターネットワークを介して接続した端末装置から前記音素材を検索する音素材検索システムであって、
前記音素材に整理データを付して音素材検索サーバシステムに格納する音素材格納手段と、
前記整理データに音素材に対応する複数の客観処理したイメージからなる客観イメージデータを付与し、前記音素材検索サーバシステムに格納する客観イメージデータ格納手段と、
任意のイメージを入力して音素材の検索を行う音素材検索手段とからなる音素材検索システム。
【請求項８】
請求項７に記載の音素材検索システムにおいて、客観イメージデータ格納手段の客観処理したイメージがアンケート調査結果に基づいての客観処理イメージである音素材検索システム。
【請求項９】
請求項７又は８に記載の音素材検索システムにおいて、整理データに書誌的事項を付与し音素材サーバシステムに格納する書誌的事項格納手段を付与してなる音素材検索システム。
【請求項１０】
請求項７、８又は９に記載の音素材検索システムにおいて、書誌的事項格納手段の書誌的事項がレンタル可能期間からなる音素材検索システム。
【請求項１１】
請求項９又は１０に記載の音素材検索システムにおいて、書誌的事項格納手段の書誌的事項がレンタル歴からなる音素材検索システム。
【請求項１２】
請求項９、１０又は１１に記載の音素材検索システムにおいて、書誌的事項格納手段の書誌的事項が音素材をレンタル可能か否かを表示することからなる音素材検索システム。
【請求項１３】
請求項９乃至１２のいずれかに記載の音素材検索システムにおいて、書誌的事項格納手段の書誌的事項が音素材毎のレンタル費用を表示することからなる音素材検索システム。
【発明の詳細な説明】
【０００１】
【発明の属する技術分野】
本発明は、音素材のイメージを指定して条件に合う音素材を選び出す音素材検索方法とそのシステムに関する。
【０００２】
【従来の技術】
従来、音楽情報供給システムにおいて、多数の楽曲情報に客観的データと主観的データを付して格納し、主観的データから検索された楽曲情報を提供するものは知られており、この場合、主観的データとしてその楽曲に相応しい季節情報、イメージ情報等を採用するものが知られている。（例えば、特許文献１参照。）。
【０００３】
【特許文献１】
特開２００２−１８２６６０号公報
【０００４】
【発明が解決しようとする課題】
しかし、主観的イメージデータは、あくまでも個人的なものであるから、聞く人の年代、性別、状況等によって、同じ楽曲でも異なる様々なイメージが付されるから、例えば、楽しいというイメージにより検索した場合、非常に多数の楽曲が選択されてしまい、実質的に検索の役に立たない場合が少なくない。
特に、音素材が創作されたばかりの曲で一般に知られていないものや、４小節、８小節以内の短い曲で未だに決まった曲名がないものや、野鳥や鯨の鳴き声や自然界や電車、工場、街路の音などの場合、個人では簡単にイメージの付けようがない場合も少なくない。
【０００５】
【課題を解決するための手段】
そこで、本発明は、請求項１又は７に記載のように、音素材を検索する音素材検索サーバシステムを有し、該音素材検索サーバシステムにコンピューターネットワークを介して接続した端末装置から前記音素材を検索する音素材検索方法において、前記音素材に整理データを付して音素材検索サーバシステムに格納する音素材格納手段と、前記整理データに音素材に対応する複数の客観処理したイメージからなる客観イメージデータを付与し、前記音素材検索サーバシステムに格納する客観イメージデータ格納手段と、任意のイメージを入力して音素材の検索を行う音素材検索手段とからなる音素材検索方法とシステムを提供するものである。
【０００６】
本発明によれば、イメージデータが一個人による単なる主観イメージではなく、例えば、豊富なサウンドの中から専門家が的確に判断した、一つの同じ曲（音素材）に楽しい８０％、明るい７０％、悲しい１０％、暗い５％のように数値を付し客観処理した、イメージを有する音素材を、格納し、検索することができるようにすることによって、例えば、楽しいというイメージで検索すると、数値の大きい順、又は、小さい順、又は、何％から何％の範囲の音素材として任意に検索することが可能になるのみならず、複数の客観イメージの任意の組み合わせから、個人の主観イメージを超えた客観的な音素材を的確に検索することができる。
【０００７】
また、本発明は、請求項２又は８に記載のように、請求項１又は７に記載の音素材検索方法又はシステムにおいて、客観イメージデータ格納手段の客観処理したイメージがアンケート調査結果に基づいての客観処理イメージである音素材検索方法又はシステムを提供するものである。
本発明によれば、多数の人からのアンケート結果を統計処理し客観処理を施した音素材を検索することができるから、全体的、世代別、男女別、地域別、季節別等の客観的なアンケートデータに基づいた客観処理を施した音素材を検索することができる。
【０００８】
また、本発明は、請求項３又は９に記載のように、請求項１又は２、７又は８に記載の音素材検索方法又はシステムにおいて、整理データに書誌的事項を付与し音素材サーバシステムに格納する書誌的事項格納手段を付与してなる音素材検索方法又はシステムを提供するものである。
本発明によれば、検索した音素材の音の素材の分類、作曲者、作曲年月日、曲名、格納日、楽譜、著作権の有無、レンタルの有無、検索の有無等の書誌的事項を、検索前に入力してから検索したり、検索後の音素材について知ることができる。
【０００９】
また、本発明は、請求項４又は１０に記載のように、請求項１、２又は３、又は、７、８又は９に記載の音素材検索方法又はシステムにおいて、書誌的事項格納手段の書誌的事項がレンタル可能期間からなる音素材検索方法又はシステムを提供するものである。
本発明によれば、検索した音素材をどの期間レンタル可能か否かが判る。
また、本発明は、請求項５又は１１に記載のように、請求項３又は４、又は、９又は１０に記載の音素材検索方法又はシステムにおいて、書誌的事項格納手段の書誌的事項がレンタル歴からなる音素材検索方法又はシステムを提供するものである。
本発明によれば、検索した音素材の過去のレンタル歴が判る。
【００１０】
また、本発明は、請求項６又は１２に記載のように、請求項３、４又は５、又は９、１０又は１１に記載の音素材検索方法又はシステムにおいて、書誌的事項格納手段の書誌的事項が音素材をレンタル可能か否かを表示することからなる音素材検索方法又はシステムを提供するものである。
本発明によれば、検索した音素材がレンタル可能か否かが直ちに判る。
また、本発明は、請求項１３に記載のように、請求項９乃至１２のいずれかに記載の音素材検索システムにおいて、書誌的事項格納手段の書誌的事項が音素材毎のレンタル費用を表示することからなる音素材検索システムを提供するものである。
本発明によれば、検索した音素材のレンタル料が直ちに判る。
【００１１】
【発明の実施の形態】
以下図示する実施例により本発明に係る音素材検索方法の実施の形態を説明する。
図１に示す実施例において、１０は、音素材を検索する音素材検索サーバシステムで、ＬＡＮ（ローカル・エリア・ネットワーク）やインターネット等のコンピュータネットワーク１を介してクライアントの端末装置２に接続してある。
実施例の場合、音素材は、野鳥や鯨の鳴き声や自然界や電車、工場、街路の音や効果音から４小節、８小節等の比較的短い曲、８小節以上の比較的長い音楽など、あらゆる音素材を対象にすることができ、依頼者の要請に応じて、種々の楽器、オーケストラによる演奏等を対象にすることができる。
【００１２】
音素材検索サーバシステム１０は、音素材データベース６、整理データベース７、客観的データベース等の各種のデータベースを備えるデータベースサーバ５、ＷＷＷ（ワールド・ワイド・ウェブ）サーバ３、及び、これらの各サーバを制御し、統合管理するアプリケーションサーバ４等のコンピュータで構成されている。
音素材のデータベースの作成は、図２に示す実施例の場合、先ず、音素材を音素材検索サーバシステム１０に入力し、音素材データ格納手段１２により、データベースサーバ５の音素材データベース６に格納される。
【００１３】
また、音素材データベース６に格納された音素材には、アプリケーションサーバ４の整理データ作成手段１３により、整理符号を付与して整理データを作成し、このとき同時に、整理データ作成手段１３により整理データに、個々の音素材に関する演奏時間や小節数等の音素材の長さ、歌謡曲、ジャズ、クラシック等のジャンル、楽器、国、地方などの書誌的事項データを適宜に付与することができる。この整理データは、整理データ格納手段１４により、データベースサーバ５の整理データベース７に格納される。
【００１４】
次に、整理データには、各音素材に対応した客観的イメージが付与される。客観イメージは、例えば、図２のイメージ一覧表２０において、一つの音素材に対して、連想イメージでは、春８０％、明るい８０％、楽しい８５％等、使用イメージでは、癒し７０％、クリスマス２０％、ドライブ６０％等、国、地方別イメージでは日本的３０％、アメリカ６０％、アフリカ５０％等、曲調では、明るい８０％、静か２０％、早い８０％等の数値的に客観化した客観的イメージが一人若しくは複数の専門家によって付与されて格納される。
【００１５】
この客観的イメージとしては、例えば、アンケートにより多数の人に音素材を聞かせて、図２のイメージ一覧表２０のようなイメージ一覧から、任意のイメージを自由に選択させて、その選択数から統計処理してイメージを客観処理したアンケートによる客観的イメージを付与することができる。
図２に示す実施例では、第三者がパソコン、携帯電話等の端末装置２を用い、図３に示す端末装置２のディスプレイに表示されるイメージ一覧表２０から各音素材にあった主観的イメージを第三者に選択させ、アンケートデータを収集する。
【００１６】
この収集したアンケートデータからアプリケーションサーバ４のアンケート統計手段１５により、統計をとり、統計データを算出し、アプリケーションサーバ４の客観的データ作成手段１６により、整理データに前記統計データを付与して客観的データを作成する。そして、この客観的データは、客観的データ格納手段１７により、データベースサーバ５の客観的データベース８に格納されることとなる。
なお、端末装置２を用いてアンケートデータを収集する代わりに、アンケート用紙を用いて、アンケートデータを収集することも勿論可能である。この場合は、本発明システムが、端末装置２を用いて音素材検索サーバシステム１０に入力する。この入力された客観的イメージをアプリケーションサーバ４の客観的データ作成手段１６により、前記整理データに付与し、客観的データを作成する。
【００１７】
また、前記客観的データは、客観的データベース８に格納後においてもアプリケーションサーバ４の更新手段９により、端末装置２から客観的データを更新することもでき、新たな客観的データを作成することも可能である。
上記実施例において、第三者を、年齢別、性別、職業別、国籍別などに分けて、アンケートデータを編集し、夫々の客観的データを作成することも可能である。
【００１８】
音素材データベース６に格納された音素材は、データベースサーバ５に登録されている前記整理符号、書誌的事項データ、及び又は、イメージを検索キーワードとして端末装置２に入力し、アプリケーションサーバ４の検索手段１８により、検索することができる。また、検索された音素材の中から希望する音素材を選択すると音素材検索サーバシステム１０の出力手段１９により、音素材データベース６に格納された音素材のサンプル、楽譜、書誌的事項が端末装置２に出力されるように構成してある。
【００１９】
また、出力された音素材が採用された場合、その音素材の整理データに、その音素材の現在のレンタル状況あるいは以前にレンタルされた履歴を表すレンタル履歴データ（レンタル者、レンタル地域、レンタル時期、レンタル可能期間、レンタル費用など）を音素材検索サーバシステム１０の履歴データ作成付与手段１１により付与して新たな整理データを作成するように構成してある。
【００２０】
【発明の効果】
以上の通り、本発明に係る音素材検索方法とそのシステムによれば、請求項１又は７に記載のように、音素材を検索する音素材検索サーバシステムを有し、該音素材検索サーバシステムにコンピューターネットワークを介して接続した端末装置から前記音素材を検索する音素材検索方法又はシステムにおいて、前記音素材に整理データを付して音素材検索サーバシステムに格納する音素材格納手段と、前記整理データに音素材に対応する複数の客観処理したイメージからなる客観イメージデータを付与し、前記音素材検索サーバシステムに格納する客観イメージデータ格納手段と、任意のイメージを入力して音素材の検索を行う音素材検索手段とからなる構成を有することにより、イメージデータが一個人による単なる主観イメージではなく、例えば、一つの同じ曲（音素材）のイメージとして、楽しい８０％、明るい７０％、悲しい１０％、暗い５％のように数値を付し客観処理したイメージを有する音素材を格納し、検索することができるようにすることによって、例えば、「楽しい」というイメージで検索すると、数値の大きい順、又は、小さい順、又は、何％から何％の「楽しい」イメージの範囲の音素材として任意に検索することが可能になるのみならず、複数の客観イメージの任意の組み合わせから、個人の主観イメージを超えた客観的な音素材を的確に検索することができる効果がある。
【００２１】
また、本発明は、請求項２又は８に記載のように、請求項１又は７に記載の音素材検索方法又はシステムにおいて、客観イメージデータ格納手段の客観処理したイメージがアンケート調査結果に基づいての客観処理イメージである構成を有することにより、多数の人からのアンケート結果を統計処理し客観処理を施した音素材を検索することができるから、全体的、世代別、男女別、地域別、季節別等の客観的なアンケートデータに基づいた客観処理を施した音素材を検索することができる効果がある。
【００２２】
また、本発明は、請求項３又は９に記載のように、請求項１又は２、７又は８に記載の音素材検索方法又はシステムにおいて、整理データに書誌的事項を付与し音素材サーバシステムに格納する書誌的事項格納手段を付与してなる構成を有することにより、検索した音素材の音の素材の分類、作曲者、作曲年月日、曲名、格納日、楽譜、著作権の有無、レンタルの有無、検索の有無等の書誌的事項を、検索前に入力してから検索したり、検索後の音素材に付随して知ることができ、検索の効率化を図ることができる効果がある。
【００２３】
また、本発明は、請求項４又は１０に記載のように、請求項１、２又は３、又は、７、８又は９に記載の音素材検索方法又はシステムにおいて、書誌的事項格納手段の書誌的事項がレンタル可能期間からなる構成を有することにより、検索した音素材をどの期間レンタル可能か否かが直ちに判る効果がある。
また、本発明は、請求項５又は１１に記載のように、請求項３又は４、又は、９又は１０に記載の音素材検索方法又はシステムにおいて、書誌的事項格納手段の書誌的事項がレンタル歴からなる構成を有することにより、検索した音素材の過去のレンタル歴が直ちに判る効果がある。
【００２４】
また、本発明は、請求項６又は１２に記載のように、請求項３、４又は５、又は９、１０又は１１に記載の音素材検索方法又はシステムにおいて、書誌的事項格納手段の書誌的事項が音素材をレンタル可能か否かを表示することからなる構成を有することにより、検索した音素材がレンタル可能か否かが直ちに判る効果がある。
また、本発明は、請求項１３に記載のように、請求項９乃至１２のいずれかに記載の音素材検索システムにおいて、書誌的事項格納手段の書誌的事項が音素材毎のレンタル費用を表示することからなる構成を有するから、検索した音素材のレンタル料が直ちに判る効果がある。
【図面の簡単な説明】
【図１】本発明システムの概略構成図。
【図２】本発明システムのイメージ概略説明図。
【図３】本発明システムの概略チャート図。
【符号の説明】
１    コンピュータネットワーク
２    端末装置
３    ＷＷＷサーバ
４    アプリケーションサーバ
５    データベースサーバ
６    音素材データベース
７    整理データベース
８    客観的イメージデータベース
９    更新手段
１０  音素材検索サーバシステム
【図１】
2004287303.tif 000003
【図２】
2004287303.tif 000004
【図３】
2004287303.tif 000005